(57)【要約】      （修正有）【課題】簡易な構造でコンパクトに連動機構を構築することができるヒンジ装置を提供することを目的とする。【解決手段】  第一部材１と第二部材２とを枢着するヒンジ装置であって、この第一部材１，第二部材２のいずれか一方に固定状態に設けるの回動部３にこの回動部３の回動に伴って回動するカム回動部４とこの回動軸方向にスライド移動自在にカム移動部５とを設け、このカム回動部４，カム移動部５のいずれか一方若しくは双方に、前記回動部３の回動に伴って前記カム回動部４が回動することで前記カム移動部５を前記回動軸方向にスライド移動せしめるカム面６を設け、このカム面６によって移動する前記カム移動部５には操作体８を移動操作をさせる操作部７を設けて、前記第一部材１に対して前記第二部材２を相対回動させることで前記操作体８を移動操作するように構成したヒンジ装置。【選択図】      図２
2005308219.tif 000002
【特許請求の範囲】
【請求項１】
第一部材と第二部材とを枢着するヒンジ装置であって、この第一部材，第二部材のいずれか一方に固定状態に設けるこの回動部にこの回動部の回動に伴って回動するカム回動部とこの回動軸方向にスライド移動自在にカム移動部とを設け、このカム回動部，カム移動部のいずれか一方若しくは双方に、前記回動部の回動に伴って前記カム回動部が回動することで前記カム移動部を前記回動軸方向にスライド移動せしめるカム面を設け、このカム面によって移動する前記カム移動部には操作体を移動操作をさせる操作部を設けて、前記第一部材に対して前記第二部材を相対回動させることで前記操作体を移動操作するように構成したことを特徴とするヒンジ装置。
【請求項２】
第一部材と第二部材とを枢着するヒンジ装置であって、この第一部材，第二部材のいずれか一方の回動に伴って回動する回動部としての回動軸に、この回動軸に沿ってスライド移動自在にカム移動部を回転自在に設け、この回動軸のカム移動部に当接する位置にカム回動部を固定状態に設け、このカム回動部，カム移動部のいずれか一方若しくは双方に、前記回動軸の回動に伴って前記カム回動部が回動することで前記カム移動部を前記回動軸方向にスライド移動せしめるカム面を設け、このカム面によって移動する前記カム移動部には操作体を移動操作をさせる操作部を設けて、前記第一部材に対して前記第二部材を相対回動させることで前記操作体を移動操作するように構成したことを特徴とするヒンジ装置。
【請求項３】
前記カム移動部の両端部に前記カム回動部を設け、このカム回動部間で前記回動部の回動軸方向に沿って前記カム面により前記カム移動部がスライド移動するように構成したことを特徴とする請求項１，２のいずれか１項に記載のヒンジ装置。
【請求項４】
前記回動部に回動抵抗を生じさせるトルク発生機構を設けたことを特徴とする請求項１〜３のいずれか１項に記載のヒンジ装置。
【請求項５】
前記第一部材と前記第二部材との基端部同志を枢着して、双方が重合した閉塞状態から第一部材，第二部材のいずれか一方を所定開放角度まで回動した開放状態に開閉できるヒンジ装置とし、前記第一部材若しくは第二部材の開閉回動によって前記操作体を移動操作するように構成したことを特徴とする請求項１〜４のいずれか１項に記載のヒンジ装置。
【請求項６】
前記請求項１〜５のいずれか１項に記載したヒンジ装置を枢着部に設けたことを特徴とするヒンジ装置を用いた電子機器。
【発明の詳細な説明】
【技術分野】
【０００１】
本発明は、例えば第一部材１と前記第二部材２との基端部同志を枢着して、双方が重合した閉塞状態から第一部材１，第二部材２のいずれか一方を所定開放角度まで回動した開放状態に開閉できるヒンジ装置並びにこのヒンジ装置を用いた携帯電話，パソコンなどの電子機器に関するものである。
【背景技術】
【０００２】
例えば、ラップトップ形（ノート形）のパソコンの薄形化を図るため、所定の押し下げストロークを必要とするキーボード部の各キー部材が蓋部を閉塞したときに一斉に下動し、また蓋部を開放した使用状態では逆に一斉にもとの位置に上動するように構成することが提案されているが、蓋部の開閉に連動するようにこの各キー部材を上下動させるための操作体を移動操作する機構は複雑となり、また、スペースをとるため、量産性，コスト，薄形化等の問題のため実用化が難しいとされていた。
【発明の開示】
【発明が解決しようとする課題】
【０００３】
本発明は、ヒンジ装置に着目し、これを利用することで回動動作（開閉動作）に連動させることが容易であることを見い出し、更にこのヒンジ装置を利用すると共に、回動部にカムによって移動する機構を設け、このカム移動部と操作したい操作体とを連結することで、簡易な構造でコンパクトにこの連動機構を容易に構築することができる極めて画期的なヒンジ装置並びにヒンジ装置を用いた電子機器を提供することを目的としている。
【課題を解決するための手段】
【０００４】
添付図面を参照して本発明の要旨を説明する。
【０００５】
第一部材１と第二部材２とを枢着するヒンジ装置であって、この第一部材１，第二部材２のいずれか一方に固定状態に設けるこの回動部３にこの回動部３の回動に伴って回動するカム回動部４とこの回動軸方向にスライド移動自在にカム移動部５とを設け、このカム回動部４，カム移動部５のいずれか一方若しくは双方に、前記回動部３の回動に伴って前記カム回動部４が回動することで前記カム移動部５を前記回動軸方向にスライド移動せしめるカム面６を設け、このカム面６によって移動する前記カム移動部５には操作体８を移動操作をさせる操作部７を設けて、前記第一部材１に対して前記第二部材２を相対回動させることで前記操作体８を移動操作するように構成したことを特徴とするヒンジ装置に係るものである。
【０００６】
また、第一部材１と第二部材２とを枢着するヒンジ装置であって、この第一部材１，第二部材２のいずれか一方の回動に伴って回動する回動部３としての回動軸３に、この回動軸３に沿ってスライド移動自在にカム移動部５を回転自在に設け、この回動軸３のカム移動部５に当接する位置にカム回動部４を固定状態に設け、このカム回動部４，カム移動部５のいずれか一方若しくは双方に、前記回動軸３の回動に伴って前記カム回動部４が回動することで前記カム移動部５を前記回動軸方向にスライド移動せしめるカム面６を設け、このカム面６によって移動する前記カム移動部５には操作体８を移動操作をさせる操作部７を設けて、前記第一部材１に対して前記第二部材２を相対回動させることで前記操作体８を移動操作するように構成したことを特徴とするヒンジ装置に係るものである。
【０００７】
また、前記カム移動部５の両端部に前記カム回動部４を設け、このカム回動部４間で前記回動部３の回動軸方向に沿って前記カム面６により前記カム移動部５がスライド移動するように構成したことを特徴とする請求項１，２のいずれか１項に記載のヒンジ装置に係るものである。
【０００８】
また、前記回動部３に回動抵抗を生じさせるトルク発生機構９を設けたことを特徴とする請求項１〜３のいずれか１項に記載のヒンジ装置に係るものである。
【０００９】
また、前記第一部材１と前記第二部材２との基端部同志を枢着して、双方が重合した閉塞状態から第一部材１，第二部材２のいずれか一方を所定開放角度まで回動した開放状態に開閉できるヒンジ装置とし、前記第一部材１若しくは第二部材２の開閉回動によって前記操作体８を移動操作するように構成したことを特徴とする請求項１〜４のいずれか１項に記載のヒンジ装置に係るものである。
【００１０】
また、前記請求項１〜５のいずれか１項に記載したヒンジ装置Ｈを枢着部に設けたことを特徴とするヒンジ装置を用いた電子機器に係るものである。
【発明の効果】
【００１１】
本発明は上述のように構成したから、ヒンジ装置を利用することで回動動作（開閉動作）に連動させて所望の操作体を移動させることが容易に実現できることとなり、このカム移動部と操作体とを連結することで、更にこのヒンジ装置を利用すると共に、回動部にカムによって移動する機構を設けることで、簡易な構造でコンパクトに容易にこの連動機構を構築することができる極めて画期的なヒンジ装置となる。
【００１２】
また、特に請求項２記載の発明においては、一層容易に実現でき、極めて実用性に秀れたヒンジ装置となる。
【００１３】
また、請求項３記載の発明においては、一層精度良くスムーズにカム移動部が移動する構成となり、一層容易に実現でき、極めて実用性に秀れたヒンジ装置となる。
【００１４】
また、請求項６記載の発明においては、前記ヒンジ装置を用いることで前記作用・効果を奏する極めて秀れた電子機器となる。
【発明を実施するための最良の形態】
【００１５】
好適と考える本発明の実施形態（発明をどのように実施するか）を、図面に基づいて本発明の作用を示して簡単に説明する。
【００１６】
第一部材１に対して第二部材２を相対回動すると、この第一部材１，第二部材２のいずれかに固定状態に設けた回動部３がこれに伴って相対回動し、この回動部３に固定状態に設けたカム回動部４がこれに伴って回動することとなる。
【００１７】
このカム回動部４が当接する位置には、回動部３の回動軸方向にスライド移動自在に設けたカム移動部５が設けられていて、このカム回動部４，カム移動部５のいずれか一方若しくは双方にはカム面６が形成されているため、前記カム回動部４の回動によってこのカム面６により所定方向に所定ストロークだけカム移動部５がスライド移動することとなる。
【００１８】
従って、このカム移動部５のスライド移動により操作部７を介して操作体８が移動操作されることとなる。
【００１９】
つまり、本発明は、ヒンジ装置の回動部３に組み込んだカム機構によって回動軸方向にカム移動部５がスライド移動するように設け、このヒンジ装置に組み込んだカム移動部５の移動により操作部７を介して操作体８を移動させる構成とすることで、第一部材１に対する第二部材２の相対回動に連動して操作体８を移動操作でき、しかも、このカム機構による回動連動機構をヒンジ装置Ｈの回動部に組み込んだ構成とすることでができるので、簡易な構成にしてスペースもとらずにこの回動連動機構を実現できることとなる。
【実施例】
【００２０】
本発明の具体的な実施例について図面に基づいて説明する。
【００２１】
本実施例では、第一部材１とこの第一部材１に対して回動させる第二部材２との基端部同志を枢着して、双方が重合した閉塞状態から第二部材２を所定開放角度まで回動した開放状態に開閉できるヒンジ装置、即ち、図１に示すラップトップ式のパソコンにおいて第一部材１を本体部１とし、第二部材をディスプレイとなる蓋部２とし、これを枢着するヒンジ装置に本発明を適用したもので、取付部12を介して回動部３としての回動軸３を第二部材２に設けて、この第二部材２の開閉動作によってこの回動軸３が回動するように構成し、この回動軸３に軸受部13を被嵌状態に設け、この軸受部13を取付部14を介して第一部材１に設け、この軸受部13は回動軸３に圧着被嵌するＣ状部に形成して、所定の回動抵抗（蓋部２を手を放した位置で停止保持させるフリーストップを実現させるトルク）が生じるように構成してトルク発生機構９を設けたヒンジ装置としている（尚、このトルク発生機構９は様々な構成を採用することが可能である。）。
【００２２】
本実施例は、このようなヒンジ装置に本発明を適用したもので、回動軸３にこの回動軸３に沿ってスライド移動自在にカム移動部５を遊転自在に設け、この回動軸３のカム移動部５の両端部の対向位置に回動軸３と共に回動するカム回動部４を固定状態に設け、この左右のカム回動部４の内側端部ならびにこのカム回動部４間のカム移動部５の左右両端部に、回動軸３の回動に伴ってカム回動部４が回動することでカム移動部５をこのカム回動部４間で前記回動軸方向にスライド移動せしめるカム面６を設け、このカム面６によって移動する前記カム移動部５には操作体８を移動操作をさせる操作部７を設けて、前記第一部材１である本体部１に対して前記第二部材２である蓋部２を開閉回動させることで、これに連動して操作体８が移動操作されるように構成している。
【００２３】
即ち、本実施例では、回動軸３に所定間隔を置いて短筒状のカム回動部４を被嵌してピン止固定し、この左右のカム回動部４の内側端部を凹凸面としてカム面６を形成し、またこの左右のカム回動部４間に回動軸３に遊転自在に筒状のカム移動部５を被嵌し、このカム移動部５の両端部には前記カム回動部４の凹凸面と係合する凹凸面を形成してカム面６を形成し、図５に示すようにカム移動部５の右側では右側のカム回動部４の谷部に係合し、カム移動部５の左側では左側のカム回動部４の山部に乗り上がっていた状態から、回動軸３（カム回動部４）が回動することで、カム移動部５の右側では右側のカム回動部４の谷部から山部に乗り上がり、カム移動部５の左側では左側のカム回動部４の谷部に係合するようにカム面６を形成し、このカム面６の凹凸関係により回動軸３の回動によってカム回動部４間のカム移動部５が徐々に左側に移動するように構成している。
【００２４】
尚、本実施例では、図５の最下図に示すように、第一部材１に対してほぼ９０度近くまで回動することでカム移動部５は所定ストローク（カム面６の凹凸の深さによる）だけスライド移動するが、それ以上回動してももはやカム移動部５はスライド移動しないように構成している（これは、蓋部２がほぼ９０度回動したときには、すでに操作体８の移動操作が完了するようにしたいことによる。）。
【００２５】
このように本実施例では、移動させるカム移動部５をカム回動部４間で移動するように構成し、左右のカム回動部４とカム移動部５の両端に夫々凹凸面によるカム面６を形成したため、ガタ付きも少なく所望の位置から所望の位置に精度良くスムーズに移動制御できるように構成している。
【００２６】
また、本実施例では、カム移動部５は回動部３に遊転自在に被嵌し、回動部３の回動によってカム移動部５もつられ回動しないように保持するための位置決め機構を施している。
【００２７】
即ち、第一部材１に固定する固定板15を設け、この固定板15にスライド案内窓16を形成し、このスライド案内窓16からカム移動部５に突出形成した連結用突出部17を係合させて、カム移動部５のスライド移動をガイドさせると共に、このスライド案内窓16と連結用突出部17との係合によりカム移動部５がつられ回動しない位置に位置決め保持されるように構成している。
【００２８】
また、この固定板15はコ字形とし、この両端部を回動軸３の左右のカム回動部４の外側に遊転自在に取り付けるように構成している。
【００２９】
次に、このスライド移動するカム移動部５とこれにより移動操作される操作体８との連結構造について説明する。
【００３０】
本実施例では、前記カム移動部５と操作体８とを操作部７によって連結するが、具体的には、操作部７を回動自在に第一部材１に固定し、この操作部７の一端部をカム移動部５のスライド案内孔16から突出している連結用突出部17に取り付け、操作部７の他端部を操作体８に取り付けるように構成している。
【００３１】
即ち、カム移動部５の連結用突部17に操作部７の一端部に形成したコ字状部を係合して連結し、カム移動部５のスライド移動によって、操作部７が取付固定位置を支点に水平回動するように構成し、この水平回動部によって支点からより離れた位置に設定した操作部７の他端部が大きく回動移動するように構成し、この操作部７の他端部に形成したコ字状部を操作体８に設けた連結用突部18に係合して連結し、操作体８がカム移動部５の移動より大きくスライド移動するように構成している。
【００３２】
即ち、本実施例では、操作部７の中間位置よりカム移動部５側寄りに支点取付孔19を設け、この支点取付孔19から支点となる支点ビス20によって第一部材１に取り付け、この支点ビス20を支点に操作部７が回動するように構成し、また、操作部７にはガイド孔21を形成し、このガイド孔21に操作部７の浮き上がりを防止するための保持ビス22を設ける構成としている。
【００３３】
従って、本実施例のこのようなヒンジ装置Ｈを用いることで、例えば前述のように本体部１のキーボード部10のキー部材11を蓋部２を閉めたときに一斉に下動するように構成することができる。
【００３４】
即ち、前記第一部材１，第二部材２をラップトップ型電子機器の本体部１と蓋部２とし、前記本体部１に設けるキーボード部10の各キー部材11を上下動させる操作体８と前記操作部７とを連結する構成とし、前記蓋部２を回動して閉塞状態としたとき、前記カム面６により前記カム移動部５が移動することで一側へ前記操作部７を介して前記操作体８が移動操作されて前記各キー部材11が一斉に下動して本体部１が薄形化されるように前記カム面６，前記カム移動部５及び前記操作部７を設定することができる。
【００３５】
従って、ラップトップ式のパソコンにおいて閉塞時にはキーボード部10の各キー部材11を一斉に下動させて薄形化が図れるこのような構造も、このヒンジ装置Ｈにカム機構による回動連動機構を組み込むことで簡易な構成にしてスペースもとらずに実現でき、容易に実用化が図れる。
【００３６】
更に説明すれば、図６に示すようにキー部材11は、所定の押しストロークを有することでタッチ操作し易く、図示したようなＸ状のリンク支承部23により支承され且つ図示したようなキー部材11の垂下部をラバーシート24に設けた弾性隆起部25で支承させ、このキー部材11を押し下げることで弾性隆起部25を垂下部によって押し潰し、このキー部材11によりラバーシート24下のメンブレンスイッチシート26をＯＮ−ＯＦＦさせるように構成しているが、本実施例では図６の最下図に示すように弾性隆起部25を設けたラバーシート24が重合固定されているメンブレンスイッチシート26を引き動かすことで弾性隆起部25を移動させて、キー部材11を下降させて、薄形化を図れるもので、この押し引きスライド移動させるメンブレンスイッチシート26あるいはこれに固定した部材を操作体８とし、操作部７によって、第二部材２の回動閉塞によって引動し、キー部材11を一斉に下降するように構成している。
【００３７】
尚、本発明は、本実施例に限られるものではなく、各構成要件の具体的構成は適宜設計し得るものである。
【図面の簡単な説明】
【００３８】
【図１】本実施例の使用状態を示す斜視図である。
【図２】本実施例の使用状態を示す要部の拡大斜視図である。
【図３】本実施例の拡大斜視図である。
【図４】本実施例の拡大分解斜視図である。
【図５】本実施例の作動説明図である。
【図６】本実施例のキーボード部のキー部材の作動説明図である。
【符号の説明】
【００３９】
１  第一部材，本体部
２  第二部材，蓋部
３  回動部，回動軸
４  カム回動部
５  カム移動部
６  カム面
７  操作部
８  操作体
９  トルク発生機構
Ｈ  ヒンジ装置
【図１】
2005308219.tif 000003
【図２】
2005308219.tif 000004
【図３】
2005308219.tif 000005
【図４】
2005308219.tif 000006
【図５】
2005308219.tif 000007
【図６】
2005308219.tif 000008